(57)【要約】【課題】表示不良の発生を抑制する。【解決手段】画像を表示する液晶パネル１１と、液晶パネル１１に取り付けられる偏光板１２と、液晶パネル１１との間に偏光板１２を挟むよう配されるカバーガラス１３と、カバーガラス１３における偏光板１２側の板面から突出していて偏光板１２と少なくとも一部同士が重畳する構造物である枠状遮光部１５と、偏光板１２とカバーガラス１３との間に介在するよう配されて両者を固着する透光性固着層１４であって、構造物である枠状遮光部１５との間に間隔Ｃ１を空けて配される透光性固着層１４と、を備える。【選択図】図２
2019117294.tif 000002
【特許請求の範囲】
【請求項１】
画像を表示する表示パネルと、
前記表示パネルに取り付けられる偏光板と、
前記表示パネルとの間に前記偏光板を挟むよう配される保護パネルと、
前記保護パネルにおける前記偏光板側の板面から突出していて前記偏光板と少なくとも一部同士が重畳する構造物と、
前記偏光板と前記保護パネルとの間に介在するよう配されて両者を固着する透光性固着層であって、前記構造物との間に間隔を空けて配される透光性固着層と、を備える表示装置。
【請求項２】
前記透光性固着層は、前記構造物との間の間隔が０．１ｍｍ以上となるよう配される請求項１記載の表示装置。
【請求項３】
前記透光性固着層は、前記構造物とは非重畳となるよう配される請求項１または請求項２記載の表示装置。
【請求項４】
前記表示パネルは、画像が表示される表示領域を有しており、
前記透光性固着層は、前記構造物との間の間隔が、前記構造物と前記表示領域との間の間隔よりも狭くなるよう配される請求項３記載の表示装置。
【請求項５】
前記透光性固着層は、前記構造物との間の間隔と、前記構造物と前記表示領域との間の間隔と、の差が０．１ｍｍよりも大きくなるよう配される請求項４記載の表示装置。
【請求項６】
前記表示パネルは、一対の基板と、前記一対の基板の間に挟持される液晶層と、前記一対の基板の間に介在して前記液晶層を取り囲むことで前記液晶層をシールするシール部と、を少なくとも有しており、
前記シール部は、その内端が前記構造物の内端よりも外側に位置するよう配されている請求項１から請求項５のいずれか１項に記載の表示装置。
【請求項７】
前記表示パネル、前記偏光板及び前記保護パネルは、いずれも長手状をなしており、
前記構造物は、少なくとも前記偏光板における長手方向についての両端部に対して重畳する請求項１から請求項６のいずれか１項に記載の表示装置。
【請求項８】
前記構造物は、前記偏光板における外周端部に対して全周にわたって重畳する請求項７記載の表示装置。
【請求項９】
前記構造物は、前記保護パネルにおける外周端部の全周にわたって配されて遮光性を有する枠状遮光部とされる請求項１から請求項８のいずれか１項に記載の表示装置。
【請求項１０】
前記構造物は、前記保護パネルに配索形成される配線部とされる請求項１から請求項９のいずれか１項に記載の表示装置。
【請求項１１】
前記保護パネルには、位置入力を行う導電体との間で静電容量を形成し前記導電体による入力位置を検出するとともに前記配線部に接続される位置検出電極が設けられており、
前記位置検出電極は、透明電極膜からなるのに対し、前記配線部は、前記透明電極膜と金属膜との積層構造とされる請求項１０記載の表示装置。
【請求項１２】
前記偏光板は、位相差機能を有する請求項１から請求項１１のいずれか１項に記載の表示装置。
【発明の詳細な説明】
【技術分野】
【０００１】
本発明は、表示装置に関する。
【背景技術】
【０００２】
従来、液晶表示装置の一例として下記特許文献１に記載されたものが知られている。特許文献１に記載された液晶表示装置は、第１の基板と、第１の基板よりも観察者側に配置された第２の基板と、第１の基板と第２の基板との間に挟持された液晶層とを有する液晶表示パネルと、液晶表示パネルの観察者側の表面に接着剤を介して貼り付けられた透明カバーとを有する。液晶表示パネルは、第２の基板と透明カバーとの間に偏光板を有し、接着剤は、偏光板の側面の全てを覆っており、接着剤の外周の平面形状は、凹凸形状である。
【先行技術文献】
【特許文献】
【０００３】
【特許文献１】特開２００９−６９３２１号公報
【発明の概要】
【発明が解決しようとする課題】
【０００４】
上記した特許文献１は、接着剤が偏光板の外形よりもはみ出す量を０．１ｍｍ以上とし、湿気による偏光板の端部近傍の膨張に起因する表示むらを防止する技術に関するものである。ところで、液晶表示装置は、電源がＯＮされるのに伴って光源などの発熱部品が発熱すると構成部品が熱膨張し、電源がＯＦＦされると構成部品が熱収縮する。液晶表示装置の中でも大型の構成部品である液晶パネルの各基板や透明カバーは、熱膨張及び熱収縮に伴う伸縮量が大きいため、互いに積層される各基板及び透明カバーの間に線膨張係数の差があると、これらの部品には応力が作用することになる。この応力が液晶パネルにおける特定の箇所に作用すると、その応力が作用する箇所近辺に表示不良が生じるおそれがあった。
【０００５】
本発明は上記のような事情に基づいて完成されたものであって、表示不良の発生を抑制することを目的とする。
【課題を解決するための手段】
【０００６】
本発明の表示装置は、画像を表示する表示パネルと、前記表示パネルに取り付けられる偏光板と、前記表示パネルとの間に前記偏光板を挟むよう配される保護パネルと、前記保護パネルにおける前記偏光板側の板面から突出していて前記偏光板と少なくとも一部同士が重畳する構造物と、前記偏光板と前記保護パネルとの間に介在するよう配されて両者を固着する透光性固着層であって、前記構造物との間に間隔を空けて配される透光性固着層と、を備える。
【０００７】
このようにすれば、表示パネルから出射した光は、偏光板を透過する際に偏光され、その後透光性固着層及び保護パネルを透過して外部へと出射する。偏光板は、保護パネルによって保護が図られており、透光性固着層によって保護パネルとの固着が図られている。保護パネルにおける偏光板側の板面からは構造物が突出しており、この構造物は、偏光板と重畳する配置とされているので、当該表示装置を正面から視たときに、表示パネルの表面が直接視認されるのを防ぐことが避けられ、もって外観に優れる。
【０００８】
ここで、表示パネル、偏光板、透光性固着層及び保護パネルは、熱環境の変化に伴って熱膨張または熱収縮し、その伸縮量はそれぞれの線膨張係数に応じたものとなる。このうちの保護パネルの板面からは構造物が突出していてさらにその構造物が偏光板と重畳配置されているため、仮に構造物と偏光板との間にも透光性固着層が介在していると、透光性固着層に段差が生じるため、表示パネルのうちの構造物と偏光板との重畳箇所付近に大きな応力が生じ、表示不良を生じさせるおそれがある。その点、透光性固着層は、構造物との間に間隔を空けて配されていて、構造物と偏光板との間に介在することが避けられている。従って、透光性固着層には構造物に起因する段差が生じることがないので、表示パネルのうちの構造物と偏光板との重畳箇所付近に応力が作用する事態を避けることができる。これにより、表示不良が生じ難くなる。
【発明の効果】
【０００９】
本発明によれば、表示不良の発生を抑制することができる。
【図面の簡単な説明】
【００１０】
【図１】本発明の実施形態１に係る液晶表示装置の平面図
【図２】図１のＡ−Ａ線断面図
【図３】図１のＢ−Ｂ線断面図
【図４】本発明の実施形態２に係る液晶表示装置に備わるカバーガラスのタッチパネルパターンを示す平面図
【図５】カバーガラスの角部付近を拡大したタッチパネルパターンを示す平面図
【図６】液晶表示装置を長辺方向に沿って切断した断面図
【図７】液晶表示装置を短辺方向に沿って切断した断面図
【発明を実施するための形態】
【００１１】
＜実施形態１＞
本発明の実施形態１を図１から図３によって説明する。本実施形態では、液晶表示装置１０について例示する。なお、各図面の一部にはＸ軸、Ｙ軸及びＺ軸を示しており、各軸方向が各図面で示した方向となるように描かれている。また、図２及び図３の上側を表側とし、同図下側を裏側とする。
【００１２】
液晶表示装置１０は、図１に示すように、全体としては横長の方形状をなしており、その長辺方向がＸ軸方向と、短辺方向がＹ軸方向と、それぞれ一致している。液晶表示装置１０は、図２に示すように、画像を表示する液晶パネル（表示パネル）１１と、液晶パネル１１における表裏両板面に取り付けられる偏光板（位相差機能付き偏光板）１２と、表側に配される偏光板１２を表側から覆う形で配されるカバーガラス（保護パネル）１３と、表側の偏光板１２とカバーガラス１３との間に介在して両者に固着される透光性固着層１４と、液晶パネル１１に対して裏側（カバーガラス１３側とは反対側）に対向状に配されて液晶パネル１１に表示のための光を供給する外部光源であるバックライト装置ＢＬと、を少なくとも備えている。
【００１３】
液晶パネル１１は、図２及び図３に示すように、間隔（セルギャップ）を隔てた状態で貼り合わせられる一対の基板１１Ａ，１１Ｂと、一対の基板１１Ａ，１１Ｂの間に挟持される液晶層１１Ｃと、一対の基板１１Ａ，１１Ｂの外周端部間に介在して液晶層１１Ｃを取り囲むことで液晶層１１Ｃをシールするシール部１１Ｄと、を少なくとも有する。本実施形態に係る液晶パネル１１は、例えば、液晶層を構成する液晶分子が水平配向するＩＰＳ（In-Plane Switching）モードとされる。一対の基板１１Ａ，１１Ｂは、ほぼ透明でガラス製（例えば無アルカリガラス製）とされ、後述するカバーガラス１３よりも線膨張係数が概して小さい傾向にある。一対の基板１１Ａ，１１Ｂのうち、裏側に配されるアレイ基板（アクティブマトリクス基板）１１Ｂには、互いに直交するソース配線及びゲート配線に接続されたスイッチング素子（例えばＴＦＴ）、そのスイッチング素子に接続された画素電極、配向膜等が設けられている。一方、表側に配されるＣＦ基板（対向基板）１１Ａには、Ｒ（赤色），Ｇ（緑色），Ｂ（青色）等の各着色部が所定配列で配置されたカラーフィルタと、隣り合う着色部の間を仕切る遮光部（ブラックマトリクス、表示パネル側遮光部）と、が設けられているのに加えて、配向膜等が設けられている。このうちの遮光部は、隣り合う着色部の間を仕切る格子状部（図示せず）に加えて、ＣＦ基板１１Ａにおける外周端部の全周にわたって配される枠状部１１Ｅを有している。この液晶パネル１１は、画像が表示される表示領域（アクティブエリア）ＡＡと、表示領域ＡＡを取り囲む額縁状（枠状）をなしていて画像が表示されない非表示領域（ノンアクティブエリア）ＮＡＡと、に区分されている。上記した枠状部１１Ｅは、表示領域ＡＡを取り囲んでいて表示領域ＡＡを区画していてそのほぼ全域が非表示領域ＮＡＡと重畳する配置とされる。
【００１４】
偏光板１２は、図２及び図３に示すように、液晶パネル１１における表示領域ＡＡと非表示領域ＮＡＡとに跨る形で配されており、表示領域ＡＡ（遮光部における枠状部１１Ｅの非形成領域）の全域に加えて非表示領域ＮＡＡ（枠状部１１Ｅ）における内周側部分に対して平面に視て重畳している。偏光板１２は、液晶パネル１１の板面に沿う板面を有するフィルム状とされており、少なくとも自然光から直線偏光を作り出すための偏光層を有している。偏光層は、ＰＶＡ（ポリビニルアルコール）フィルムなどの高分子樹脂フィルムにヨウ素、二色性染料等の吸収体を混入し一方向に延伸することで吸収体を配向させてなる偏光子を、ＴＡＣ（トリアセチルセルロース）フィルムなどの保護フィルムによって挟み込んだ構成とされる。その上で、偏光板１２は、透過光に位相差を付与するための位相差層（位相差板）を有している。位相差層は、例えば高分子樹脂フィルムを一軸延伸または二軸延伸してなり、透過光に位相差を付与することで、液晶層の複屈折性などに起因して生じ得る視野角特性の悪化を補償することができる。このように本実施形態に係る偏光板１２は、位相差機能を有している。また、偏光板１２は、偏光層を保護するためのラミネータ層（保護層）と、液晶パネル１１の各基板１１Ａ，１１Ｂの板面に対して固着される固着層と、を有する。
【００１５】
カバーガラス１３は、図１に示すように、液晶パネル１１及び偏光板１２を表側からそのほぼ全域にわたって覆うよう横長の方形状をなしており、それにより液晶パネル１１及び偏光板１２の保護を図ることができる。カバーガラス１３は、図２及び図３に示すように、偏光板１２に対して表側に対向する形で配されていて、偏光板１２に対して間に介在する透光性固着層１４によって固着されている。透光性固着層１４は、例えばＯＣＡ（Optical Clear adhesive）フィルムなどのほぼ透明で優れた透光性を有する接着剤層からなり、その材料は例えば紫外線の照射に伴って硬化する紫外線硬化樹脂材料などとされる。透光性固着層１４の詳しい構成については後に改めて説明する。カバーガラス１３の外周端部には、全周にわたって延在する形で遮光性を有する枠状遮光部（構造物、保護パネル側遮光部）１５が設けられている。なお、枠状遮光部１５は、図１では網掛け状にして図示されている。枠状遮光部１５は、カバーガラス１３における裏側の板面に遮光性材料（例えばカーボンブラックや金属材料など）からなる遮光膜を形成してなり、同板面から遮光膜の厚さ分だけ裏側（偏光板１２側）に向けて突出する「構造物」となっている。枠状遮光部１５は、液晶パネル１１における遮光部の枠状部１１Ｅ（非表示領域ＮＡＡ）における内周端部を除いた部分と重畳している。つまり、枠状遮光部１５によって取り囲まれた領域は、液晶パネル１１における遮光部の枠状部１１Ｅによって取り囲まれた表示領域ＡＡよりも一回り広くなっている。カバーガラス１３は、ほぼ透明で優れた透光性を有するガラス製（例えばソーダライムガラス製）で板状をなしており、好ましくは強化ガラスからなる。カバーガラス１３に用いられる強化ガラスとしては、例えば板状のガラス基材の表面に化学強化処理が施されることで、表面に化学強化層を備えた化学強化ガラスを用いることが好ましいが必ずしもその限りではない。
【００１６】
枠状遮光部１５は、図２及び図３に示すように、偏光板１２に対して平面に視て重畳するよう配されている。詳しくは、枠状遮光部１５は、その内周端部が偏光板１２の外周端部に対して全周にわたって重畳する配置とされている。このような構成によれば、使用者が液晶表示装置１０を正面から視ると、液晶パネル１１の表面に取り付けられた偏光板１２の表面と、カバーガラス１３の表面に設けられた枠状遮光部１５の表面と、が視認されるようになり、液晶パネル１１の表面が直接視認されるのを防ぐことが避けられる。これにより、仮に枠状遮光部が偏光板１２とは非重畳の配置とされて、液晶パネル１１の表面が正面から直接視認される場合に比べると、外観が優れたものとなる。また、枠状遮光部１５は、遮光性を有しているので、重畳箇所である偏光板１２の外周端部を透過した光を遮ることができる。この偏光板１２の外周端部は、液晶パネル１１の非表示領域ＮＡＡと重畳しており、その透過光は表示領域ＡＡでの表示に寄与しない、漏れ光と呼ばれるものである。従って、枠状遮光部１５によって偏光板１２の外周端部の透過光を遮ることで、漏れ光の出射が防がれ、もって表示品位の向上が図られる。また、枠状遮光部１５は、その内周端がシール部１１Ｄの内周端よりも内側に位置するよう配されている。
【００１７】
ところで、液晶表示装置１０を構成していて互いに積層配置される液晶パネル１１、偏光板１２、透光性固着層１４及びカバーガラス１３は、図２及び図３に示すように、熱環境の変化に伴って熱膨張または熱収縮し、その伸縮量はそれぞれの線膨張係数に応じたものとなる。このうちのカバーガラス１３の板面からは枠状遮光部１５が裏側に向けて突出していてさらにその枠状遮光部１５が偏光板１２と重畳配置されているため、仮に枠状遮光部１５と偏光板１２との間にも透光性固着層が介在していると、透光性固着層に段差が生じるため、液晶パネル１１のうちの枠状遮光部１５と偏光板１２との重畳箇所付近には大きな応力が生じる。ここで、シール部１１Ｄは、その内周端が枠状遮光部１５の内周端よりも外側に位置するよう配されているため、上記のような大きな応力が枠状遮光部１５と偏光板１２との重畳箇所付近に生じると、応力によって液晶層１１Ｃの厚みが不均一になり、その結果表示不良が生じるおそれがあった。そこで、本実施形態に係る透光性固着層１４は、枠状遮光部１５との間に間隔Ｃ１を空けて配されている。このようにすれば、透光性固着層１４が、枠状遮光部１５と偏光板１２との間に介在することが避けられている。従って、透光性固着層１４には枠状遮光部１５に起因する段差が生じることがないので、液晶パネル１１のうちの枠状遮光部１５と偏光板１２との重畳箇所付近に応力が作用する事態を避けることができる。これにより、応力によって液晶層１１Ｃの厚みが不均一になることが避けられるので、表示不良が生じ難くなる。特に、本実施形態に係る偏光板１２は、位相差機能を有しているため、仮に応力によって液晶層１１Ｃの厚みが不均一になると、局所的な色ムラが生じるおそれがあるものの、そのような局所的な色ムラの発生が好適に抑制され、もって高い表示品位が得られる。
【００１８】
しかも、透光性固着層１４は、図２及び図３に示すように、枠状遮光部１５との間に空けられる間隔Ｃ１が０．１ｍｍ以上となるよう配されている。ここで、液晶表示装置１０の製造時に液晶パネル１１に対して偏光板１２を貼り付けるとともに偏光板１２とカバーガラス１３とのうちの一方に対して透光性固着層１４を取り付けた後、他方に対して透光性固着層１４を取り付けて透光性固着層１４を硬化させる。このうち、透光性固着層１４をカバーガラス１３に取り付ける際には、枠状遮光部１５に対する透光性固着層１４の位置合わせを行うが、このときに組み付け誤差が生じるおそれがある。そして、仮に透光性固着層と枠状遮光部１５との間の間隔が０．１ｍｍを下回ると、上記した組み付け誤差に起因して透光性固着層が枠状遮光部１５に接する配置となる可能性が高くなる。その点、上記したように透光性固着層１４と枠状遮光部１５との間に０．１ｍｍ以上の間隔Ｃ１が確保されていれば、製造時に上記した組み付け誤差が生じても、透光性固着層１４が枠状遮光部１５に対して接することなく十分な間隔Ｃ１を空けた配置となる確実性が十分に高くなる。
【００１９】
さらには、透光性固着層１４は、図２及び図３に示すように、その外周端が全周にわたって枠状遮光部１５の内周端よりも内側に配されている。つまり、透光性固着層１４は、枠状遮光部１５とは非重畳となるよう配されている。このようにすれば、仮に透光性固着層が枠状遮光部１５と重畳するよう配された場合に比べると、透光性固着層１４と枠状遮光部１５との間に間隔Ｃ１が空けられる確実性が高くなる。その上で、透光性固着層１４は、その外周端が全周にわたって液晶パネル１１の遮光部の枠状部１１Ｅの内周端（表示領域ＡＡと非表示領域ＮＡＡとの境界線）よりも外側に配されている。つまり、透光性固着層１４は、枠状遮光部１５との間に空けられる間隔Ｃ１が、枠状遮光部１５と表示領域ＡＡとの間の間隔Ｃ２よりも狭くなるよう配されている。このようにすれば、表示領域ＡＡがその全域にわたって透光性固着層１４と重畳する関係が保たれる確実性が高くなり、表示領域ＡＡの外端部（一部）が透光性固着層１４に対して非重畳の配置となる事態が避けられる。従って、表示領域ＡＡの出射光がほぼ全て透光性固着層１４を透過する確実性が高くなり、表示領域ＡＡの出射光の一部が透光性固着層１４を透過することなく出射することが避けられる。以上により、表示不良がより生じ難くなる。そして、透光性固着層１４は、枠状遮光部１５との間の間隔Ｃ１と、枠状遮光部１５と表示領域ＡＡとの間の間隔Ｃ２と、の差が０．１ｍｍよりも大きくなる（０．１ｍｍ以上となる）よう配されている。仮に上記した差が０．１ｍｍを下回ると、偏光板１２に対して透光性固着層を取り付ける際に生じる組み付け誤差に起因して表示領域ＡＡの外端部が透光性固着層１４に対して非重畳の配置となる可能性が高くなる。その点、透光性固着層１４と枠状遮光部１５との間の間隔Ｃ１と、枠状遮光部１５と表示領域ＡＡとの間の間隔Ｃ２と、の差が０．１ｍｍよりも大きく（０．１ｍｍ以上と）されていれば、偏光板１２に対して透光性固着層１４を取り付ける際に組み付け誤差が生じても、表示領域ＡＡの全域をより確実に透光性固着層１４と重畳する関係とすることができ、表示領域ＡＡの一部が透光性固着層１４に対して非重畳の配置となることが避けられる確実性が高くなる。これにより、表示不良がより一層生じ難くなる。
【００２０】
平面に視て長手状の枠型をなす枠状遮光部１５は、図１及び図２に示すように、一対ずつの長辺側内端部及び短辺側内端部が、偏光板１２における一対ずつの長辺側外端部及び短辺側外端部に対してそれぞれ重畳する配置とされている。そして、透光性固着層１４は、一対の短辺側外端部と、枠状遮光部１５における一対の短辺側内端部との間に空けられる間隔Ｃ１が０．１ｍｍ以上となるよう配されている。枠状遮光部１５における一対の短辺側内端部は、熱環境の変化に伴う偏光板１２及びカバーガラス１３の伸縮量が特に大きくなるＸ軸方向（長手方向、長辺方向）についての両端部となっている。従って、枠状遮光部１５における一対の短辺側内端部と、偏光板１２における一対の短辺側外端部と、の重畳箇所付近には、より大きな応力が作用することが懸念される。ところが、枠状遮光部１５における一対の短辺側内端部と、枠状遮光部１５における一対の短辺側内端部と、の間に空けられる間隔Ｃ１が０．１ｍｍ以上とされているので、重畳箇所付近に生じ得る応力をより効果的に緩和することができる。その上で、図１及び図３に示すように、枠状遮光部１５におけるＹ軸方向（短辺方向）についての両端部である一対の長辺側内端部と、枠状遮光部１５における一対の長辺側内端部と、の間に空けられる間隔Ｃ１が０．１ｍｍ以上とされているので、液晶パネル１１における外周端部付近に作用し得る応力を全周にわたって好適に緩和することができる。これにより、液晶パネル１１に枠状の表示不良が生じる事態が生じ難くなる。
【００２１】
以上説明したように本実施形態の液晶表示装置（表示装置）１０は、画像を表示する液晶パネル（表示パネル）１１と、液晶パネル１１に取り付けられる偏光板１２と、液晶パネル１１との間に偏光板１２を挟むよう配されるカバーガラス（保護パネル）１３と、カバーガラス１３における偏光板１２側の板面から突出していて偏光板１２と少なくとも一部同士が重畳する構造物である枠状遮光部１５と、偏光板１２とカバーガラス１３との間に介在するよう配されて両者を固着する透光性固着層１４であって、構造物である枠状遮光部１５との間に間隔Ｃ１を空けて配される透光性固着層１４と、を備える。
【００２２】
このようにすれば、液晶パネル１１から出射した光は、偏光板１２を透過する際に偏光され、その後透光性固着層１４及びカバーガラス１３を透過して外部へと出射する。偏光板１２は、カバーガラス１３によって保護が図られており、透光性固着層１４によってカバーガラス１３との固着が図られている。カバーガラス１３における偏光板１２側の板面からは構造物である枠状遮光部１５が突出しており、この構造物である枠状遮光部１５は、偏光板１２と重畳する配置とされているので、当該表示装置を正面から視たときに、液晶パネル１１の表面が直接視認されるのを防ぐことが避けられ、もって外観に優れる。
【００２３】
ここで、液晶パネル１１、偏光板１２、透光性固着層１４及びカバーガラス１３は、熱環境の変化に伴って熱膨張または熱収縮し、その伸縮量はそれぞれの線膨張係数に応じたものとなる。このうちのカバーガラス１３の板面からは構造物である枠状遮光部１５が突出していてさらにその構造物である枠状遮光部１５が偏光板１２と重畳配置されているため、仮に構造物である枠状遮光部１５と偏光板１２との間にも透光性固着層が介在していると、透光性固着層に段差が生じるため、液晶パネル１１のうちの構造物である枠状遮光部１５と偏光板１２との重畳箇所付近に大きな応力が生じ、表示不良を生じさせるおそれがある。その点、透光性固着層１４は、構造物である枠状遮光部１５との間に間隔Ｃ１を空けて配されていて、構造物である枠状遮光部１５と偏光板１２との間に介在することが避けられている。従って、透光性固着層１４には構造物である枠状遮光部１５に起因する段差が生じることがないので、液晶パネル１１のうちの構造物である枠状遮光部１５と偏光板１２との重畳箇所付近に応力が作用する事態を避けることができる。これにより、表示不良が生じ難くなる。
【００２４】
また、透光性固着層１４は、構造物である枠状遮光部１５との間の間隔Ｃ１が０．１ｍｍ以上となるよう配される。このようにすれば、仮に上記した間隔が０．１ｍｍを下回ると、製造時に生じる組み付け誤差などに起因して透光性固着層が構造物である枠状遮光部１５に接する配置となる可能性が高くなる。その点、透光性固着層１４と構造物である枠状遮光部１５との間に０．１ｍｍ以上の間隔Ｃ１を確保すれば、製造時に組み付け誤差が生じても、透光性固着層１４が構造物である枠状遮光部１５に対して間隔Ｃ１を空けた配置となる確実性が十分に高くなる。
【００２５】
また、透光性固着層１４は、構造物である枠状遮光部１５とは非重畳となるよう配される。このようにすれば、仮に透光性固着層が構造物である枠状遮光部１５と重畳するよう配された場合に比べると、透光性固着層１４と構造物である枠状遮光部１５との間に間隔Ｃ１が空けられる確実性が高くなる。
【００２６】
また、液晶パネル１１は、画像が表示される表示領域ＡＡを有しており、透光性固着層１４は、構造物である枠状遮光部１５との間の間隔Ｃ１が、構造物である枠状遮光部１５と表示領域ＡＡとの間の間隔Ｃ２よりも狭くなるよう配される。このようにすれば、表示領域ＡＡの一部が透光性固着層１４に対して非重畳の配置となることが避けられる。従って、表示領域ＡＡの出射光の一部が透光性固着層１４を透過することなく出射することが避けられるので、表示不良がより生じ難くなる。
【００２７】
また、透光性固着層１４は、構造物である枠状遮光部１５との間の間隔Ｃ１と、構造物である枠状遮光部１５と表示領域ＡＡとの間の間隔Ｃ２と、の差が０．１ｍｍよりも大きくなる（０．１ｍｍ以上となる）よう配される。このようにすれば、製造時に透光性固着層１４の組み付け誤差が生じても、表示領域ＡＡの一部が透光性固着層１４に対して非重畳の配置となることが避けられる確実性が高くなる。これにより、表示不良がより一層生じ難くなる。
【００２８】
また、液晶パネル１１は、一対の基板１１Ａ，１１Ｂと、一対の基板１１Ａ，１１Ｂの間に挟持される液晶層１１Ｃと、一対の基板１１Ａ，１１Ｂの間に介在して液晶層１１Ｃを取り囲むことで液晶層１１Ｃをシールするシール部１１Ｄと、を少なくとも有しており、シール部１１Ｄは、その内端が構造物である枠状遮光部１５の内端よりも外側に位置するよう配されている。このようにすれば、一対の基板１１Ａ，１１Ｂ間に挟持される液晶層１１Ｃは、一対の基板１１Ａ，１１Ｂ間に介在して液晶層１１Ｃを取り囲むシール部１１Ｄによってシールされている。シール部１１Ｄは、その内端が構造物である枠状遮光部１５の内端よりも外側に位置するよう配されているため、仮に液晶パネル１１のうちの構造物である枠状遮光部１５と偏光板１２との重畳箇所付近に大きな応力が生じると、応力によって液晶層１１Ｃの厚みが不均一になり、その結果表示不良が生じるおそれがある。その点、透光性固着層１４は、構造物である枠状遮光部１５との間に間隔Ｃ１を空けて配されていて、液晶パネル１１のうちの構造物である枠状遮光部１５と偏光板１２との重畳箇所付近に応力が作用し難くなっているので、液晶層１１Ｃの厚みが不均一になり難くなる。これにより、表示不良が生じ難くなる。
【００２９】
また、液晶パネル１１、偏光板１２及びカバーガラス１３は、いずれも長手状をなしており、構造物である枠状遮光部１５は、少なくとも偏光板１２における長手方向についての両端部に対して重畳する。長手状をなす液晶パネル１１、偏光板１２及びカバーガラス１３は、熱環境の変化に伴う伸縮量が長手方向について特に大きくなる傾向にある。このため、構造物である枠状遮光部１５が、少なくとも偏光板１２における長手方向についての両端部と重畳する箇所付近には、より大きな応力が作用することが懸念される。その点、構造物である枠状遮光部１５と透光性固着層１４との間に間隔Ｃ１が空けられることで、液晶パネル１１における長手方向についての両端部付近に作用し得る応力を好適に緩和することができる。これにより、液晶パネル１１に帯状の表示不良が生じる事態が生じ難くなる。
【００３０】
また、構造物である枠状遮光部１５は、偏光板１２における外周端部に対して全周にわたって重畳する。このようにすれば、液晶パネル１１における外周端部付近に作用し得る応力を好適に緩和することができる。これにより、液晶パネル１１に枠状の表示不良が生じる事態が生じ難くなる。
【００３１】
また、構造物は、カバーガラス１３における外周端部の全周にわたって配されて遮光性を有する枠状遮光部１５とされる。このようにすれば、枠状遮光部１５によりカバーガラス１３における外周端部が全周にわたって遮光される。遮光性を有する構造物である枠状遮光部１５が偏光板１２と重畳されているので、偏光板１２における重畳箇所を透過した光が外部に漏れ出すのを防ぐことができる。これにより、表示品位の向上を図ることができる。
【００３２】
また、偏光板１２は、位相差機能を有する。このようにすれば、液晶パネル１１から出射した光は、偏光板１２を透過する過程で偏光されるとともに位相差が付与されるので、例えば視野角補償が図られる。偏光板１２が位相差機能を有していると、液晶パネル１１に応力が作用した場合、偏光板１２によって光に付与される位相差も相まって表示色が局所的に本来とは異なるものとなるおそれがある。その点、透光性固着層１４は、構造物である枠状遮光部１５との間に間隔Ｃ１を空けて配されていて、液晶パネル１１のうちの構造物である枠状遮光部１５と偏光板１２との重畳箇所付近に応力が作用し難くなっているので、液晶パネル１１に局所的に色ムラが生じる事態が生じ難くなる。
【００３３】
＜実施形態２＞
本発明の実施形態２を図４から図７によって説明する。この実施形態２では、カバーガラス１１３の構成を変更したものを示す。なお、上記した実施形態１と同様の構造、作用及び効果について重複する説明は省略する。
【００３４】
本実施形態に係るカバーガラス１１３には、図４に示すように、液晶表示装置１１０の使用者が液晶パネル１１１の表示領域ＡＡに表示される画像に応じて位置情報を入力したときの入力位置を検出するためのタッチパネルパターン１６が設けられている。タッチパネルパターン１６は、いわゆる投影型静電容量方式とされており、その検出方式が例えば自己容量方式とされるものである。タッチパネルパターン１６は、カバーガラス１１３における裏側の板面に透明電極膜を成膜し、その透明電極膜をパターニングしてなる。タッチパネルパターン１６は、液晶パネル１１１の表示領域ＡＡの面内においてＸ軸方向及びＹ軸方向に沿って複数ずつマトリクス状に並んで配されるタッチ電極（位置検出電極）１７を少なくとも備える。複数のタッチ電極１７は、カバーガラス１１３において液晶パネル１１１の表示領域ＡＡと重畳する領域（タッチ領域）に配されている。従って、液晶パネル１１１における表示領域ＡＡは、入力位置を検出可能なタッチ領域とほぼ一致しており、非表示領域ＮＡＡが入力位置を検出不能な非タッチ領域とほぼ一致している。そして、使用者が視認する表示領域ＡＡの画像に基づいて位置入力をしようとしてカバーガラス１１３の表面に導電体である指（位置入力体）を近づけると、その指とタッチ電極１７との間で静電容量が形成されることになる。これにより、指の近くにあるタッチ電極１７にて検出される静電容量には指が近づくのに伴って変化が生じ、指から遠くにあるタッチ電極１７とは異なるものとなるので、それに基づいて入力位置を検出することが可能となる。
【００３５】
カバーガラス１１３の外周端部（非タッチ領域）における一角部には、図４に示すように、タッチパネル制御回路（図示せず）からの信号などを伝送するためのタッチパネル用フレキシブル基板１８が接続されている。カバーガラス１１３におけるタッチパネル用フレキシブル基板１８の実装箇所には、図５に示すように、タッチパネル用フレキシブル基板１８側の端子部（図示せず）と導通接続される端子部１９が設けられている。そして、カバーガラス１１３の外周端部には、上記した端子部１９とタッチパネルパターン１６とに接続される配線部（構造物）２０が設けられている。配線部２０は、カバーガラス１１３の外周端部においてタッチ領域（表示領域ＡＡ）を囲うようにして複数本が互いに並行する形で配索されており、その一端側が端子部１９に、他端側がタッチパネルパターン１６を構成するタッチ電極１７に、それぞれ接続されている。配線部２０は、カバーガラス１１３における裏側の板面に成膜された透明電極膜及び金属膜をパターニングしてなり、透明電極膜及び金属膜の積層構造とされる。従って、配線部２０は、配線抵抗が透明電極膜のみからなるタッチパネルパターン１６（タッチ電極１７）の配線抵抗よりも低くなっており、位置検出感度を高く保つ上で好適となる。なお、端子部１９についても配線部２０と同様に透明電極膜及び金属膜の積層構造とされる。配線部２０は、カバーガラス１１３の外周端部のうち、タッチパネル用フレキシブル基板１８が実装された側の長辺と、一対の短辺と、に配されている（図４を参照）。複数本の配線部２０は、図６及び図７に示すように、カバーガラス１１３の外周端部においてＸ軸方向またはＹ軸方向に沿って間隔を空けて並んで配されている。これらの配線部２０は、カバーガラス１１３における裏側の板面から突出する同板面から金属膜の厚さ分だけ裏側（偏光板１１２側）に向けて突出する「構造物」となっている。配線部２０は、上記したように透明電極膜及び金属膜の積層構造とされているので、透明電極膜のみからなるタッチパネルパターン１６に比べると、カバーガラス１１３における裏側の板面からの突出寸法が金属膜の分だけ大きくなっている。なお、図６及び図７では、タッチパネルパターン１６の図示を省略している。
【００３６】
カバーガラス１１３における３辺の外端部においてＸ軸方向またはＹ軸方向に沿って並ぶ複数の配線部２０のうちの最も内側（表示領域ＡＡの近く）に配される配線部２０とその外側に隣り合う配線部２０とは、図６及び図７に示すように、偏光板１１２の外端部に対して平面に視て重畳するよう配されている。そして、透光性固着層１１４は、偏光板１１２と重畳する配線部２０のうちの最も内側に配される配線部２０との間に０．１ｍｍ以上の間隔Ｃ１を空けて配されている。このようにすれば、透光性固着層１１４が、配線部２０と偏光板１１２との間に介在することが避けられる確実性が高くなるので、配線部２０が透明電極膜及び金属膜の積層構造とされていてカバーガラス１１３における裏側の板面からの突出寸法が大きくなっていても、透光性固着層１１４には配線部２０に起因する段差が生じることがない。従って、液晶パネル１１１のうちの配線部２０と偏光板１１２との重畳箇所付近に応力が作用する事態を避けることができる。これにより、応力によって液晶層１１１Ｃの厚みが不均一になることが避けられるので、表示不良が生じ難くなる。さらには、透光性固着層１１４は、複数の配線部２０とは非重畳の配置とされるのに加えて、最も内側に配される配線部２０との間の間隔Ｃ１と、最も内側に配される配線部２０と表示領域ＡＡとの間の間隔Ｃ２と、の差が０．１ｍｍよりも大きくなるよう配されている。このようにすれば、偏光板１１２に対して透光性固着層１１４を取り付ける際に組み付け誤差が生じても、表示領域ＡＡの全域をより確実に透光性固着層１１４と重畳する関係とすることができ、表示領域ＡＡの一部が透光性固着層１１４に対して非重畳の配置となることが避けられる確実性が高くなる。これにより、表示不良がより一層生じ難くなる。
【００３７】
以上説明したように本実施形態によれば、構造物は、カバーガラス１１３に配索形成される配線部２０とされる。このようにすれば、配線部２０を偏光板１１２と重畳する構造物として利用することができる。
【００３８】
また、カバーガラス１１３には、位置入力を行う導電体である指との間で静電容量を形成し導電体である指による入力位置を検出するとともに配線部２０に接続されるタッチ電極（位置検出電極）１７が設けられており、タッチ電極１７は、透明電極膜からなるのに対し、配線部２０は、透明電極膜と金属膜との積層構造とされる。このようにすれば、タッチ電極１７は、カバーガラス１１３において位置入力を行う導電体である指との間で静電容量を形成することで、導電体である指による入力位置を検出することができる。タッチ電極１７に接続される配線部２０は、透明電極膜と金属膜との積層構造とされることで、その配線抵抗が透明電極膜からなるタッチ電極１７よりも低くなるので、位置検出感度を高く保つ上で好適となる。一方、透明電極膜と金属膜との積層構造とされる配線部２０は、透明電極膜からなるタッチ電極１７よりもカバーガラス１１３の板面からの突出寸法が大きくなるため、透光性固着層１１４に大きな段差が生じさせる可能性があるものの、透光性固着層１１４と配線部２０との間に間隔Ｃ１が空けられることで、透光性固着層１１４には配線部２０に起因する段差が生じることが避けられる。従って、液晶パネル１１１のうちの配線部２０と偏光板１１２との重畳箇所付近に応力が作用する事態を避けることができ、もって表示不良が生じ難くなる。
【００３９】
＜他の実施形態＞
本発明は上記記述及び図面によって説明した実施形態に限定されるものではなく、例えば次のような実施形態も本発明の技術的範囲に含まれる。
（１）上記した各実施形態以外にも、構造物である枠状遮光部及び配線部と透光性固着層との間の間隔における具体的な寸法は適宜に変更可能である。同様に、構造物である枠状遮光部及び配線部と透光性固着層との間の間隔と、構造物である枠状遮光部及び配線部と表示領域との間の間隔と、の差における具体的な寸法は適宜に変更可能である。これらの具体的な寸法は、透光性固着層を実装する際に生じる組み付け誤差に応じて変動し得るものであり、例えば組み付け精度が向上するのに伴って小さくすることが可能である。
（２）上記した各実施形態では、構造物である枠状遮光部及び配線部と透光性固着層とが非重畳となるよう配される場合を示したが、これらが重畳する配置であっても、間に間隔が空けられているのであれば構わない。
（３）上記した各実施形態では、偏光板が偏光層とは別途に位相差層を有する構成を示したが、例えば偏光層に含まれるＴＡＣフィルムに位相差機能を持たせるようにし、位相差層を省略することも可能である。それ以外にも、偏光板の具体的な構成は適宜に変更可能である。また、位相差機能を有さない偏光板を用いることも可能である。
（４）上記した各実施形態では、構造物である枠状遮光部及び配線部が共に遮光性を有する場合を示したが、透光性を有する構造物であっても構わない。例えば、実施形態２に記載した配線部の一部または全部を透明電極膜の単層膜やメッシュ状の金属膜の単層膜により構成し、透光性を持たせるようにしても構わない。その場合、配線部の一部または全部を透明電極膜とメッシュ状の金属膜との積層構造とすることも可能である。
（５）上記した各実施形態では、透光性固着層が紫外線硬化性樹脂材料からなる場合を示したが、透光性固着層の材料を、可視光線などの紫外線以外の波長の光によって硬化する光硬化性樹脂材料や熱硬化性樹脂材料などとすることも可能である。
（６）上記した実施形態１では、枠状遮光部と偏光板とが全周にわたって重畳する構成を示したが、枠状遮光部と偏光板とが周方向について部分的に重畳する関係であっても構わない。
（７）上記した実施形態２以外にも、カバーガラスの外周端部における配線部の具体的な配置や設置数などは適宜に変更可能である。例えば最も内側に配された配線部のみが偏光板と重畳する構成であってもよい。また、配線部がカバーガラスの外周端部における全周に配されていてもよい。
（８）上記した実施形態２では、タッチパネルパターンが透明電極膜からなる場合を示したが、タッチパネルパターンがメッシュ状の金属膜からなるようにしても構わない。
（９）上記した実施形態２では、カバーガラスに構造物として配線部が設けられた場合を示したが、配線部に加えて上記した実施形態１に記載した枠状遮光部がカバーガラスに構造物として設けられていても構わない。
（１０）上記した実施形態２では、自己容量方式のタッチパネルパターンを例示したが、相互容量方式のタッチパネルパターンにも本発明は適用可能である。また、タッチパネルパターンを構成するタッチ電極の平面形状は、菱形以外にも、方形、円形、五角形以上の多角形などに適宜に変更可能である。
（１１）上記した各実施形態以外にも、液晶パネルを構成するＣＦ基板及びアレイ基板におけるガラス材料やカバーガラスにおけるガラス材料などの具体的な材料は適宜に変更可能である。この場合、ＣＦ基板及びアレイ基板やカバーガラス（保護パネル）の材料としてガラス以外の材料（合成樹脂材料など）を用いることも可能である。
（１２）上記した各実施形態では、液晶パネルの表示モードがＩＰＳモードとされる場合を示したが、ＦＦＳモード、ＴＮモード、ＶＡモード、ＲＴＮモード、などであっても構わない。
（１３）上記した各実施形態では、液晶表示装置（液晶パネルやバックライト装置）の平面形状が横長の方形とされる場合を示したが、液晶表示装置の平面形状が縦長の方形、正方形、長円形、楕円形、円形、台形、部分的に曲面を持つ形状などであっても構わない。
（１４）上記した各実施形態では、液晶パネルを備えた液晶表示装置を例示したが、他の種類の表示パネル（有機ＥＬパネル、ＥＰＤ（マクロカプセル型電気泳動方式のディスプレイパネル）、ＭＥＭＳ（Micro Electro Mechanical Systems）表示パネルなど）を備えた表示装置にも本発明は適用可能である。
【符号の説明】
【００４０】
１０，１１０…液晶表示装置（表示装置）、１１，１１１…液晶パネル（表示パネル）、１１Ａ…ＣＦ基板（基板）、１１Ｂ…アレイ基板（基板）、１１Ｃ，１１１Ｃ…液晶層、１１Ｄ…シール部、１２，１１２…偏光板、１３，１１３…カバーガラス（保護パネル）、１４，１１４…透光性固着層、１５…枠状遮光部（構造物）、１７…タッチ電極（位置検出電極）、２０…配線部（構造物）、ＡＡ…表示領域、Ｃ１…間隔、Ｃ２…間隔
【図１】
2019117294.tif 000003
【図２】
2019117294.tif 000004
【図３】
2019117294.tif 000005
【図４】
2019117294.tif 000006
【図５】
2019117294.tif 000007
【図６】
2019117294.tif 000008
【図７】
2019117294.tif 000009